(57)【要約】【課題】特別な設備を要することなく、且つ、煩雑な手間もかけないで、多様な装飾性を付与することができる、眼鏡部品の装飾構造及びその装飾方法を提供する。【解決手段】眼鏡１０を構成する部品２４の少なくとも一部に装飾部２８が付与される眼鏡部品の装飾構造であって、熱収縮性を有し、部品２４の少なくとも一部に被覆される筒状の被覆部材３０と、部品２４の表面と被覆部材３０との間に配置されるたとえばネット状の装飾片３２とを含み、被覆部材３０が熱収縮されることにより、装飾片３２が部品２４の表面に密着される。【選択図】      図１
2004245927.tif 000002
【特許請求の範囲】
【請求項１】
眼鏡を構成する部品の少なくとも一部に装飾部が付与される眼鏡部品の装飾構造であって、
熱収縮性を有し、前記部品の少なくとも一部に被覆される筒状の被覆部材を含み、
前記被覆部材が熱収縮されることにより、前記装飾部が前記部品の表面に密着されることを特徴とする、眼鏡部品の装飾構造。
【請求項２】
前記装飾部は、前記部品の表面と前記被覆部材との間に配置される装飾片を含み、前記被覆部材が熱収縮されることにより、前記装飾片が前記部品の表面に密着されることを特徴とする、請求項１に記載の眼鏡部品の装飾構造。
【請求項３】
前記装飾片は、ネット状部を有することを特徴とする、請求項２に記載の眼鏡部品の装飾構造。
【請求項４】
前記装飾片は、文字、記号、模様、図柄等の表示部を表示する印刷層を含むことを特徴とする、請求項２に記載の眼鏡部品の装飾構造。
【請求項５】
前記被覆部材は、着色部を含むことを特徴とする、請求項１〜請求項４のいずれかに記載の眼鏡部品の装飾構造。
【請求項６】
前記装飾片は、着色部を含むことを特徴とする、請求項２〜４のいずれかに記載の眼鏡部品の装飾構造。
【請求項７】
前記被覆部材は、シュリンクフイルムまたはシュリンクラベルを含むことを特徴とする、請求項１〜請求項６のいずれかに記載の眼鏡部品の装飾構造。
【請求項８】
前記被覆部材は、文字、記号、模様、図柄等の表示部を表示する印刷層を含むことを特徴とする、請求項１〜請求項７のいずれかに記載の眼鏡部品の装飾構造。
【請求項９】
眼鏡を構成する部品の少なくとも一部に装飾部を付与する眼鏡部品の装飾方法であって、
熱収縮性を有する筒状の被覆部材を前記部品の少なくとも一部に被覆する被覆工程、および
前記被覆工程により被覆された前記被覆部材を加熱する加熱工程を含み、
前記加熱工程により、前記被覆部材が熱収縮され、前記装飾部が前記部品の表面に密着されることを特徴とする、眼鏡部品の装飾方法。
【請求項１０】
前記部品の表面と前記被覆部材との間に前記装飾部となる装飾片を配置する配置工程をさらに含み、
前記加熱工程で前記被覆部材が熱収縮されることにより、前記装飾片が前記部品の表面に密着されることを特徴とする、請求項９に記載の眼鏡部品の装飾方法。
【発明の詳細な説明】
【０００１】
【発明の属する技術分野】
本願発明は、眼鏡部品の装飾構造及びその装飾方法に関し、特に、テンプル、ブリッジ、智、ブレースバー、ブローバーＡ、ブローバーＢ、リム、リムバー、まゆ（眉）、モダン等、種々の眼鏡部品の装飾構造及びその装飾方法に関する。
【０００２】
【従来の技術】
従来の技術には、メガネフレームの表面にインクを用いて印刷することで所定の模様，図形または文字を形作ったインク層を形成し、該インク層の上に箔を貼着するメガネフレームの装飾形態があった（例えば、特許文献１参照。）。
また、従来の技術には、メガネフレーム及びその部品の外側表面を部分的に透明なまま残して、残りの表面部分を赤外線照射によって荒し、そこへ金属微粒子を塗布し、その上から塗料を吹付けた後、該塗料が吹付けられた部分に文字又は模様を印刷し、さらに、全体的にクリアコートで吹付けた後、乾燥させることによって、あたかも外側表面に開口部を有する金属製の中空柱状体の如き外観を呈する様に装飾を施した樹脂製メガネフレーム及びその部品があった（例えば、特許文献２参照。）。
さらに、従来の技術には、着色剤を含む熱可塑性樹脂材からなる眼鏡部品の表面に、所要の凹凸形状にホットプレスを施すことによって、当該部品表面の凹凸部分に色の濃淡による立体的な装飾模様を形成する立体装飾模様を有するプラスチック眼鏡部品があった（例えば、特許文献３参照。）。
さらに、従来の技術には、合成樹脂基体の外面に凹部を形成し、該凹部に合成樹脂装飾片を嵌め込んで接合一体化することによって、誇張感を呈した合成樹脂製メガネ部品のインレイ装飾構造があった（例えば、特許文献４参照。）。
また、従来の技術には、透光性もしくは半透光性のプラスチック材料からなる外生地と、少なくとも一部に嵌合孔が配設された芯金部材と、装飾片とを有し、装飾片を芯金部材の嵌合孔に嵌合した状態で外生地の内部に封入して形成した眼鏡の装飾テンプルおよびその製造方法があった（例えば、特許文献５参照。）。
また、従来の技術には、金属製のテンプルの表面にメッキを施した後、メッキの表面にプライマーを塗布し、さらに、該プライマーに金属箔を張り付け、それから、プライマーと金属箔とを樹脂の膜でコーティングした眼鏡枠があった（例えば、特許文献６参照。）。
さらに、従来の技術には、メガネフレームの部品を貫通して形成した開口穴に樹脂を充填し、樹脂層内には模様や文字等を形成したシートを埋着した後、該シートに金属酸化物を真空蒸着して金属酸化物被膜を形成したメガネフレームのステンド風装飾体及びその製造方法があった（例えば、特許文献７参照。）。
さらに、従来の技術には、眼鏡構成部材に、はめ込み穴を有する装飾部材はめ込み用空洞形成部を備え、該装飾部材はめ込み用空洞形成部の少なくとも１つの面に、透かし彫りのデザインカットが施された透孔を設け、はめ込み穴に装飾部材を挿入固定した眼鏡構成部材があった（例えば、特許文献８参照。）。
【０００３】
【特許文献１】
実用新案登録第３０８２２６３号公報（第５−７頁、図１、図２）
【特許文献２】
実用新案登録第３０８３９４７号公報（第６−７頁、図２、図６）
【特許文献３】
実用新案登録第３０４４３６１号公報（第５−７頁、図２、図３）
【特許文献４】
実用新案登録第３０５９６１１号公報（第５−６頁、図１−図３）
【特許文献５】
特開２００１−３４３６１５号公報（第３頁、図１−図３）
【特許文献６】
実開平６−４７３６号公報（第５−７頁、図１、図２）
【特許文献７】
特開平９−９０２９４号公報（第３頁、図２、図３）
【特許文献８】
特開平１１−１３３３６３号公報（第２−３頁、図４−図１２）
【０００４】
【発明が解決しようとする課題】
しかしながら、特許文献１に記載された従来の技術では、メガネ部品の表面に形成されたインク層の上に箔を貼着する場合、約１３０℃の高温に加熱して箔をインク層に貼着するため、箔を貼着した後、乾燥機でベースであるインク層の溶剤を蒸発させ、さらに、１００℃で３０分程、本焼きする必要がある。この場合、装飾形態の製造工程数が多いものとなり、容易にはメガネ部品に装飾を付与することができない。
特許文献２に記載された従来の技術は、弾性を有する透明な熱可塑性樹脂を成型してなるメガネフレーム及びその部品に対して特に効果的に装飾を施すものであって、しかも、メガネフレーム及びその部品の外側表面を部分的に透明なまま残して、残りの表面部分を赤外線照射により荒し、そこへ金属微粒子を塗布した後、塗料を吹付けてその部分に印刷部を形成し、さらに、全体的にクリアコートを吹付けるため、製造工程数が多く、手間のかかるものである。
特許文献３に記載された従来の技術では、所要の凹凸が刻設されたプレス金型を用いて、眼鏡部品の表面をホットプレスすることにより装飾模様を形成するため、プレス金型およびホットプレス機等の付帯設備が必要となり、眼鏡部品の表面に手軽に装飾を施すことができない。
特許文献４に記載された従来の技術では、メガネ部品の合成樹脂基体の表面に、装飾片の外形輪郭と同一輪郭に形成された凹部を設ける必要がある上、該凹部に装飾片を嵌め込んだ際、装飾片と凹部との接合力を強固にするためには、高周波溶接等の圧着手段が必要となり、製造工程上、手間のかかるものとなる。
特許文献５に記載された従来の技術では、製造方法が煩雑な上、外生地を作製するための金型、そして、装飾片が嵌合された芯金部材を挟持する２つの外生地同志を加熱溶着させるヒートシール機等の溶着手段が必要となり、製造コストも高くつく。
特許文献６に記載された従来の技術では、テンプルをメッキ浴中に浸漬してメッキを施した後、メッキの表面を洗浄してプライマーを塗布し、さらに、プライマーが乾燥してから、プライマー表面に金属箔を張り付け、その後、プライマーおよび金属箔を樹脂の膜で被覆するという製造工程を有するため、工程数が多く煩雑なものとなる。
特許文献７に記載された従来の技術では、メガネフレームの部品に開口穴を貫通させた後、該開口穴に樹脂を充填し、さらに、樹脂層内に模様や文字等を形成したシートを埋着して、該シートに金属酸化物を真空蒸着させるので、装飾方法が複雑となる。しかも、シートに金属酸化物の被膜を形成するため、真空釜、真空ポンプ、レーザー等を含む蒸着装置が必要となり、製造コストも高くつく。
特許文献８に記載された従来の技術では、装飾部材を取付ける部分にはめ込み穴を設ける必要があり、さらに、装飾部材を該はめ込み穴に嵌め込んで装飾部材を固定する場合に、両面テープ、接着剤、かしめ止め等により固定するため、固定の仕方が煩雑なものとなっている。しかも、装飾部材はめ込み用空洞形成部には、装飾部材をはめ込み穴に埋め込んだときに透けて見える構造の透孔も設ける必要があり、装飾方法をより一層煩雑なものにしている。
【０００５】
それゆえに、本願発明の主たる目的は、特別な設備を要することなく、且つ、煩雑な手間もかけないで、多様な装飾性を付与することができる、眼鏡部品の装飾構造及びその装飾方法を提供することである。
【０００６】
【課題を解決するための手段】
請求項１にかかる本願発明は、眼鏡を構成する部品の少なくとも一部に装飾部が付与される眼鏡部品の装飾構造であって、熱収縮性を有し、部品の少なくとも一部に被覆される筒状の被覆部材を含み、被覆部材が熱収縮されることにより、装飾部が部品の表面に密着されることを特徴とする、眼鏡部品の装飾構造である。
請求項２にかかる本願発明は、請求項１にかかる発明に従属する眼鏡部品の装飾構造であって、装飾部は、部品の表面と被覆部材との間に配置される装飾片を含み、被覆部材が熱収縮されることにより、装飾片が部品の表面に密着されることを特徴とする。
請求項３にかかる本願発明は、請求項２にかかる発明に従属する眼鏡部品の装飾構造であって、装飾片は、ネット状部を有することを特徴とする。
請求項４にかかる本願発明は、請求項２にかかる発明に従属する眼鏡部品の装飾構造であって、装飾片は、文字、記号、模様、図柄等の表示部を表示する印刷層を含むことを特徴とする。
請求項５にかかる本願発明は、請求項１〜請求項４のいずれかにかかる発明に従属する眼鏡部品の装飾構造であって、被覆部材は、着色部を含むことを特徴とする。
請求項６にかかる本願発明は、請求項２〜４のいずれかにかかる発明に従属する眼鏡部品の装飾構造であって、装飾片は、着色部を含むことを特徴とする。
請求項７にかかる本願発明は、請求項１〜請求項６のいずれかにかかる眼鏡部品の装飾構造であって、被覆部材は、シュリンクフイルムまたはシュリンクラベルを含むことを特徴とする。
請求項８にかかる本願発明は、請求項１〜請求項７のいずれかにかかる眼鏡部品の装飾構造であって、被覆部材は、文字、記号、模様、図柄等の表示部を表示する印刷層を含むことを特徴とする。
請求項９にかかる本願発明は、眼鏡を構成する部品の少なくとも一部に装飾部を付与する眼鏡部品の装飾方法であって、熱収縮性を有する筒状の被覆部材を部品の少なくとも一部に被覆する被覆工程と、被覆工程により被覆された被覆部材を加熱する加熱工程とを含み、加熱工程により、被覆部材が熱収縮され、装飾部が部品の表面に密着されることを特徴とする、眼鏡部品の装飾方法である。
請求項１０にかかる本願発明は、請求項９にかかる発明に従属する眼鏡部品の装飾方法であって、部品の表面と被覆部材との間に装飾片を配置する配置工程をさらに含み、加熱工程で被覆部材が熱収縮されることにより、装飾片が部品の表面に密着されることを特徴とする。
［作用］
本願発明では、被覆部材が熱収縮されることによって、該被覆部材が眼鏡を構成する部品の表面に密着するので、装飾部は部品の表面に強固に密着する。
また、本願発明では、装飾部が部品の表面と被覆部材との間に配置される装飾片を含むようにすると、被覆部材が熱収縮されることにより、装飾片が被覆部材とともに部品の表面に密着される。つまり、被覆部材は、装飾片を部品の表面に密着させて固定する。そして、部品の表面に密着した装飾片は、熱収縮された被覆部材によって、外部からの種々の悪影響から保護することができる。
したがって、眼鏡を繰返し長期間使用した場合に、顔（頭部の前面）や側頭部と該部品とが摩れることによる摩耗、あるいは、眼鏡使用者の汗および眼鏡使用者が使っている化粧品，整髪用品の化粧液，整髪液による劣化などを防止することができる。すなわち、本願発明にかかる眼鏡部品の装飾構造では、装飾片を被覆部材で保護することができるため、眼鏡を繰返し使用しても、装飾片が有する当初の装飾効果をそのまま継続して長期間維持することが可能となる。
さらに、本願発明では、被覆部材を部品の表面に密着させることにより、装飾片を部品の表面に密着させるので、該装飾片は、部品と被覆部材との間で移動する恐れがない。そのため、該装飾片の位置ずれを防止することが可能となる。
また、本願発明では、装飾片がネット状部を有することにより、眼鏡部品の表面には、該ネット状部の網目で隠蔽される部位とそうでない部位（露出部）とに分けられる。この場合、該網目により陰影が表出され、観察される視線の方向によって、眼鏡部品の表面に微妙なトーン（調子）の変化が付与される。
さらに、本願発明では、被覆部材および／または装飾片に、着色部、あるいは、文字、記号、模様、図柄等の表示部を形成することによって、装飾的・意匠的演出効果が創出される。特に、文字，記号等で名前等の個別の情報を表示すれば、他の眼鏡との識別化も図られる。
さらに、本願発明にかかる眼鏡部品の装飾方法では、被覆部材が熱収縮性を有するため、被覆部材を部品の少なくとも一部に被覆し、さらに、装飾片を部品表面と被覆部材との間に配置し、該被覆部材を加熱するだけで、該装飾片を部品表面に密着させることができ、極めて簡便に眼鏡部品の表面に装飾を施すことが可能となる。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は本願発明の一実施例を示す斜視図解図であり、図２は装飾部の取付方法の一例を示す拡大図解図である。図３は図２の線Ａ−Ａにおける断面拡大図解図である。本実施例では、本願発明にかかる眼鏡部品の装飾構造を有する眼鏡及びその眼鏡部品の装飾方法について説明する。
本実施例にかかる眼鏡１０は、レンズ１２、レンズ止め１４、ブリッジ１６、パッド１８、智２０、丁番部２２、テンプル２４およびモダン２６等の眼鏡部品群により構成され、特に、一方のテンプル２４には装飾部２８が付与される。
【０００９】
装飾部２８は、熱収縮性を有する筒状の被覆部材３０を含む。被覆部材３０は、たとえば円筒状のシュリンクフイルムで形成される。被覆部材３０は、テンプル２４の長手方向の中間部に被覆される。装飾部２８は、被覆部材３０の内側に配置されるたとえばネット状の装飾片３２をさらに含む。装飾片３２は、たとえば合成樹脂材料でその輪郭が矩形状に形成される。また、装飾片３２は、たとえばその全体が着色されている。
【００１０】
装飾片３２は、被覆部材３０のたとえば内周面の一部に沿って配置され、その状態で、テンプル２４に挿通され被覆される。被覆部材３０は、加熱されることにより収縮され、テンプル２４の表面に密着する。このとき、装飾片３２は、被覆部材３０の収縮力によって、テンプル２４の表面に密着され、強固に固定される。
【００１１】
次に、本実施例にかかる眼鏡部品の装飾方法の一例について説明する。先ず、その内側に装飾片３２が配置された被覆部材３０が準備される。次に、被覆部材３０は、テンプル２４の長手方向の中間部に挿通される。この場合、装飾片３２は、テンプル２４の表面と被覆部材３０との間に配置される。さらに、被覆部材３２は、ドライヤ等の加熱手段で加熱される。被覆部材３０は、加熱されることにより熱収縮され、テンプル２４の表面に密着する。このとき、装飾片３２も被覆部材            ３０の収縮力によってテンプル２４の表面に強固に密着される。この装飾方法によれば、被覆部材３０をテンプル２４等の眼鏡部品に被覆し、被覆部材３０を加熱するだけで、装飾片３２を該眼鏡部品の表面に密着させることができるため、極めて簡便に眼鏡部品の表面に装飾部２８を施すことができる。
【００１２】
本実施例にかかる眼鏡１０の装飾構造では、装飾片３２がネット状部３２ａを有することにより、テンプル２４の表面には、ネット状部３２ａの網目で隠蔽される部位とそうでない部位（露出部）とに分けられ、該網目により陰影が表出される。この場合、テンプル２４に付与された装飾部２８は、観察される視線の方向によって、その表面に微妙なトーン（調子）の変化が演出される。
【００１３】
さらに、本実施例にかかる眼鏡１０の装飾構造では、装飾片３２を被覆部材３０で保護することができるので、眼鏡１０を繰返し使用しても、装飾片３２が有する当初の装飾効果をそのまま継続して長期間維持することができる。具体的にいうと、眼鏡１０を繰返し長期間使用した場合に、顔（頭部の前面）や側頭部とテンプル２４とが摩れることによる摩耗、あるいは、使用者の汗および使用者が使っている化粧品，整髪用品の化粧液，整髪液による劣化などが防止される。
なお、被覆部材３０および装飾片３２の内、少なくとも被覆部材３０は、透光性を有し、つまり、透明ないし半透明で、しかも、耐薬品性に優れたプラスチック材料で形成されることが好ましい。
【００１４】
さらに、本実施例にかかる眼鏡１０の装飾構造では、被覆部材３０をテンプル２４の表面に密着させることにより、装飾片３２をテンプル２４の表面に密着される。そのため、装飾片３２は、テンプル２４と被覆部材３０との間で移動する恐れがなく、装飾片３２の位置ずれが防止される。
【００１５】
上述の実施例では、装飾片３２が被覆部材３０の内周面の一部に沿って配置されたが、装飾片３２は、たとえば図４に示すように、被覆部材３０の内周面の全面に沿って配置されてもよい。この場合、被覆部材３０が被覆されたテンプル２４の部位の周囲全面に、装飾部２８を付与することができる。
【００１６】
また、上述の実施例では、装飾片３２がネット状に形成されたが、装飾片３２は、それに限定されるものではなく、図７に示すように、該装飾片３８は、その表面に文字、記号、模様、図柄等の表示部を表示する印刷層４０を含むたとえば矩形のフイルム片３８で形成されてもよい。また、フィルム片は、その全体または部分的に着色が施された着色部を有するものであってもよい。
【００１７】
さらに、上述の実施例では、被覆部材３０および装飾片３２で装飾部２８が形成されたが、装飾部２８は、たとえば図５，図６に示すように、装飾片３２を配置せずに、たとえば着色部３４を有する被覆部材３０だけで形成されてもよい。着色部３４は、たとえば図５に示すように、被覆部材３０の周面の一部に形成されてもよく、たとえば図６に示すように、被覆部材３０の周面の全周に形成されてもよい。この場合、被覆部材３０の内側に装飾片３２を配置する手間が省けるので、より一層、簡便に装飾部２８を形成することができる。
【００１８】
また、被覆部材３０だけで装飾部２８を形成する場合には、図５，図６に示した着色部３４を有する被覆部材３０だけに限定されるものではなく、たとえば図７に示すように、文字、記号、模様、図柄等の表示部を表示する印刷層４２を含むたとえばシュリンクフィルムないしシュリンクラベルであってもよい。
【００１９】
なお、図１に示す実施例では、装飾部２８がテンプル２４に付与されたが、装飾部２８が付与される部位は、それに限定されるものではなく、図７に示すように、たとえばブリッジ１６やブローバー３６に適宜付与するようにしてもよい。すなわち、本願発明にかかる眼鏡部品の装飾構造及びその装飾方法は、テンプル以外にも、智、ブレースバー、ブローバーＡ、ブローバーＢ、リム、リムバー、まゆ（眉）、モダンなど、種々の眼鏡を構成する眼鏡部品に適宜採用され得るものである。
【００２０】
【発明の効果】
本願発明によれば、特別な設備を要することなく、且つ、煩雑な手間もかけないで、多様な装飾性を付与することができる、眼鏡部品の装飾構造及びその装飾方法が得られる。
【図面の簡単な説明】
【図１】本願発明の一実施例を示す斜視図解図である。
【図２】装飾部の取付方法の一例を示す拡大図解図である。
【図３】図２の線Ａ−Ａにおける断面拡大図解図である。
【図４】図１，図２，図３に示す実施例の変形例の要部を示す断面拡大図解図である。
【図５】本願発明の他の実施例の要部を示す拡大図解図である。
【図６】図５に示す実施例の変形例を示す拡大図解図である。
【図７】本願発明のさらに他の実施例を示す斜視図解図である。
【符号の説明】
１０  眼鏡
１２  レンズ
１４  レンズ止め
１６  ブリッジ
１８  パッド
２０  智
２２  丁番部
２４  テンプル
２６  モダン
２８  装飾部
３０  被覆部材
３２  装飾片
３４  着色部
３６  ブローバー
３８  フイルム片
４０，４２  印刷層
【図１】
2004245927.tif 000003
【図２】
2004245927.tif 000004
【図３】
2004245927.tif 000005
【図４】
2004245927.tif 000006
【図５】
2004245927.tif 000007
【図６】
2004245927.tif 000008
【図７】
2004245927.tif 000009